(57)【要約】【課題】多数の分岐ブレーカを有する分電盤において、母線バー導体と多数の分岐ブレーカの電気的接続のねじ止め個所を減らすことにより、分電盤のコストの低減と信頼性の向上を図る。【解決手段】母線バー導体にその側辺から一体的に張り出し形成された分岐接続片を所要数所定の間隔をおいて設け、分岐ブレーカの接続端子に前記の母線バー導体の分岐接続片を直接ねじ止めして分岐ブレーカと母線バー導体の接続することにより母線バー導体と分岐接続片とのねじ止めを省略する。【選択図】　　　　図１
2004088831.tif 000002
【特許請求の範囲】
【請求項１】
電源の各相に接続された母線バー導体を複数本互いに並行に配置し、これらの母線バー導体の少なくとも一方の側に、複数個の分岐ブレーカを母線バー導体と並行に配列し、各分岐ブレーカをそれぞれ母線導体に電気的に接続し、これらの分岐ブレーカからそれぞれ負荷回路に給電するようにした分電盤において、前記各母線バー導体の側辺に、これから外側に張り出して一体的に形成された分岐接続片を所定の間隔を置いて所定数設け、これらの分岐導体片の先端に前記分岐ブレーカの接続端子を直接接続してなることを特徴とする分電盤。
【請求項２】
請求項１記載の分電盤において、単相３線式に構成された母線バー導体の中央の中性相の母線バー導体には、その両側辺にこれから外側へ張り出して一体的に分岐接続片を形成し、両側の電圧相の母線バー導体には、それぞれの外側に向いた方の側片にこれから外側に張り出して一体的に分岐接続片を形成することを特徴とする分電盤。
【請求項３】
請求項１または２記載の分電盤において、前記母線バー導体は、電源端子および分岐ブレーカの接続端子に接続される部分を除いて絶縁被覆が施されていることを特徴とする分電盤。
【発明の詳細な説明】
【０００１】
【発明の属する技術分野】
この発明は、多数の負荷回路へ給電を行う分電盤に関する。
【０００２】
【従来の技術】
従来の分電盤は、図５に示すように、単相３線式の３本の並行して配設された母線バー導体１１、１２、１３の両側に対向して２極の分岐ブレーカ１４を複数設置し、各ブレーカの接続端子と母線バー導体とを分岐バー導体１５および１６を介して接続するようにしている。分岐バー導体１５は，中性相用の分岐導体であり、その中間点がねじ１８によって中性相の母線バー導体１２に締付け結合され、両端がそれぞれ両側の分岐ブレーカ１４の一方の接続端子にそれぞれ取付ねじ１９によってねじ止めされている。
【０００３】
また、分岐バー導体１６、１７は、電圧相用の分岐導体であり、それぞれの一方端がＲ相とＴ相の電圧相母線バー導体１１および１３に取付ねじ１８によって締付け結合され、他方端が分岐ブレーカ１４の他方の接続端子にねじ１９によってねじ止めされている。
【０００４】
【発明が解決しようとする課題】
このような分電盤において、母線バー導体と分岐ブレーカとの接続を母線バー導体とは別体で構成された分岐バー導体をねじ止めして行うので分岐回路が増加するほど接続部品の個数が増加し、ねじ止めによる電気的接続個所の数も多くなる。
【０００５】
このため、従来の分電盤は、部品点数が多くなることおよび組立て時の組立て工数が多大となることにより組立てコストが高価となる不都合がある。また、ねじ止めによる電気的接続個所が多いため、ねじの締め付け不足等による接続不良が発生する機会も増大し、分電盤の信頼性が低くなる不都合もある。
【０００６】
この発明は、このような不都合を除くために、安価で、接続不良の発生しにくい、したがって信頼性の高い分電盤を提供することを課題とするものである。
【０００７】
【課題を解決するための手段】
この発明は、前記の課題を解決するため、電源の各相に接続された母線バー導体を複数本互いに並行に配置し、これらの母線バー導体の少なくとも一方の側に、複数個の分岐ブレーカを母線バー導体と並行に配列し、各分岐ブレーカをそれぞれ母線導体に電気的に接続し、これらの分岐ブレーカからそれぞれ負荷回路に給電するようにした分電盤において、前記各母線バー導体の側辺に、これから外側に張り出して一体的に形成された分岐接続片を所定の間隔を置いて所定数設け、これらの分岐導体片の先端を前記分岐ブレーカの接続端子に直接接続することにより母線と分電盤との電気的接続を行うことを特徴とするものである。
【０００８】
この発明において、母線バー導体が単相３線式に構成されている場合、中央の中性相の母線バー導体には両側辺にこれから一体的に張り出して形成された分岐接続片を複数所定間隔をおいて設け、両側の電圧相の母線バー導体には外側に向いた方の側辺にこれから一体的に張り出して形成された分岐接続片を複数所定間隔をおいて設けるようにする。
【０００９】
また、この発明において、前記母線バー導体には電源端子および分岐ブレーカの接続端子に接続される部分を除いて絶縁被覆を施すのがよい。
【００１０】
【発明の実施の形態】
この発明の実施の形態を、図に示す実施例について説明する。
【００１１】
図１の（ａ）および、（ｂ）は、この発明による単相３線配電方式の分電盤の主要部示す正面図および下面図である。この図において、１はＲ電圧相の母線バー導体、２は中性相の母線バー導体、Ｔ電圧相の母線バー導体であり、互いに接触しないように間隔をおいて並行に配置され、上端の接続端子部１ｔ、２ｔ、３ｔに、系統電源に接続された図示しない主幹ブレーカの負荷側端子に接続される。４は２極の分岐ブレーカ４であり、これら母線バー導体１，２，３の両側に並行して分電盤に固設された取付レール６、６に取り付けら、２母線バー導体の走る方向に所要数配列される。
【００１２】
電圧相（Ｒ）の母線バー導体１は図２に示すように３次元的に屈曲した形状に形成されている。母線バー導体１の端子部１ｔに連なる本体部１ａの外側の側辺にこれから一体的に張り出して所要数の分岐接続片１ｂが所定の間隔で設けられている。分岐接続片１ｂの先端部には止めねじを通すための切欠きが設けられている。
【００１３】
もう一方の電圧相（Ｔ）の母線バー導体３は、前記の母線バー導体１と左右対称形をなしているので、母線バー導体１を左右反転して使用することができる。
【００１４】
中性相（Ｎ）の母線バー導体２は、図３に示すように屈曲した形状に形成されている。母線バー導体２の端子部２ｔに連なって直線的に伸びた本体部２ａの両側辺にそれぞれ一体的に外側へ張り出した分岐接続片２ｂが所要数所定の間隔で設けられている。この分岐接続片２ｂ先端付近が垂直および水平に屈曲して、電圧相の母線バー導体１、３と組合わせて配列したとき、これらの母線バー導体の分岐接続片１ｂ、３ｂと同じ高さの位置になるようにしている。この母線バー導体２の分岐接続片２ｂの先端部にも止めねじを通すための切欠きが設けられている。
【００１５】
また、母線バー導体１、２、３は、その主幹ブレーカに接続される端子部分１ｔ、２ｔ、３ｔおよび分岐ブレーカに接続される分岐接続片１ｂ、２ｂ、３ｂの先端部分を除いて、全体にエポキシ樹脂等の絶縁剤により絶縁被覆Ｚが施されている。図２および３においては、この絶縁被覆Ｚは、ハッチングによって示されているが、図１および４においては、図が不明瞭になるのさけるためハッチングによる図示が省略されている。
【００１６】
これらの３本の母線バー導体１、２、３は図４に示すように配列し、電圧相の母線バー導体１（３）の分岐接続片１ｂ（３ｂ）と中性相の母線バー導体２の分岐接続片２ｂとが交互に所定の間隔で、かつその先端が同一線上に並ぶように配置されようにする。このように配置したとき、各母線バー導体の全体が絶縁被覆されているので、相互の絶縁に必要な離間距離を小さくすることができ、相互を接近配置することができる。
【００１７】
このように配置された電圧相の母線バー導体１、３および中性相の母線バー導体２に対して分岐ブレーカ４は次のように接続される。図１において左側に配列された分岐ブレーカ４は、それぞれ一方の電源側端子に電圧相（Ｒ）の母線バー導体１から張り出した分岐接続片１ｂが、そして他方の電源側端子に中性相（Ｎ）の母線バー導体２から張り出した分岐接続片２ｂが挿入される位置まで母線バー導体側に押し込まれ、端子ねじ９の締付けによって母線バー導体に電気的および機械的に結合される。母線バー導体１の分岐接続片１ｂと中性相母線バー導体２の分岐接続片２ｂとの間隔を分岐ブレーカの接続端子の間隔に等しくなるように選定されるので、分岐ブレーカ４は互いに当接させて配列するようにすると分岐ブレーカの接続端子は母線バー導体の分岐接続片１ｂおよび２ｂの位置に一致させることができる。
【００１８】
母線バー導体の右側に配列した分岐ブレーカ４も左側の分岐ブレーカと４と同様にして、電圧相母線バー導体３および中性相母線バー導体２に分岐接続片３ｂおよび２ｂを介して電気的および機械的に接続される。
【００１９】
このように母線バー導体に接続された各分岐ブレーカの母線バー導体の反対側の負荷側端子にそれぞれ負荷回路を接続することにより負荷回路への給電を行うことができる。
【００２０】
このような構成によれば、母線バー導体に一体的に分岐ブレーカに接続するための分岐接続片を形成し、これに分岐ブレーカを接続することことにより、分岐ブレーカを分岐接続導体を介することなく母線バー導体に直接接続することができるため、母線バー導体と分岐ブレーカの接続のために、母線バー導体と別体の分岐接続導体が不要になるとともに、ねじ止めによる接続個所が分岐接続片と分岐ブレーカの接続端子の接続部分だけとなり、従来装置に比べて半分となる。
【００２１】
【発明の効果】
この発明によれば、電源の各相に接続された母線バー導体を互いに並行に配置し、これらの母線バー導体の側方に、所要個数の分岐ブレーカを母線バー導体と並行に配列し、各分岐ブレーカをそれぞれ母線バー導体に電気的に接続し、これらの分岐ブレーカからそれぞれ負荷回路に給電するようにしてなる分電盤において、前記各母線バー導体の側辺に、これから外側に張り出して一体的に形成された分岐接続片を所定の間隔を置いて所要数設け、これらの分岐導体片の先端を直接前記分岐ブレーカの接続端子にねじ止めにより接続するようにしているので、従来の分岐接続導体が不要になるとともに、母線バー導体と分岐ブレーカを接続するためのねじ止めによる接続個所の個数を従来の装置の半分に減らすことできる。このため、この発明によれば、分岐接続導体が不要になった分部品の点数を減らすことができるので、その分コストが低減され、そして、ねじ止めによる電気的接続個所の締付け力を管理する個所が少なくなり、その減じられた分、分電盤の組立て工数を低減することができるとともに、接続不良の発生する機会も減るので信頼性を高めることができる効果が得られる。
【図面の簡単な説明】
【図１】この発明の実施例による分電盤の要部すもので、（ａ）はその正面図、（ｂ）はその下面図。
【図２】この発明で使用する電圧相の母線バー導体を示すもので、（ａ）はその正面図、（ｂ）はその側面図、（ｃ）はその下面図。
【図３】この発明で使用する中性相の母線バー導体を示すもので、（ａ）はその正面図、（ｂ）はその側面図、（ｃ）はその下面図。
【図４】この発明における母線バー導体の組合わせ配置を示すもので、（ａ）はその正面図、（ｂ）はその側面図、（ｃ）はその平面図。
【図５】従来の分電盤の要部を示すもので、（ａ）はその正面図、（ｂ）はその下面図。
【符号の説明】
１　　　　　　　　（Ｒ）電圧相母線バー導体
２　　　　　　　　（Ｎ）中性相母線バー導体
３　　　　　　　　（Ｔ）電圧相母線バー導体
１ｂ、２ｂ、３ｂ　分岐接続片
４　　　　　　　　分岐ブレーカ
Ｚ　　　　　　　　絶縁被覆
【図１】
2004088831.tif 000003
【図２】
2004088831.tif 000004
【図３】
2004088831.tif 000005
【図４】
2004088831.tif 000006
【図５】
2004088831.tif 000007